(57)【要約】【課題】  革の端のめくれ上がりを最小にすることができるマウス構造を提供し、本革を使って囲うことができるマウス構造を提供し、ケースと組立部品を使って革を圧迫する革で覆われるマウス構造を提供すること。【解決手段】  マウス構造は、ケース、組立部品、革の層を含み、ケースと組み立て部品はともに組み立てられる。組立部品は、第１の表面と第２の表面を持つ。革の層は、第１の部分と第２の部分を有する。第１の部分は第１の表面を覆い、第２の部分は部分的に第２の表面を覆う。ケースが第２の部分の一部を圧迫するように、第２の表面はケース内に配置される。【選択図】図３
2007200335.tif 000002
【特許請求の範囲】
【請求項１】
ケースと、
第１の表面と第２の表面を持つ組立部品と、
第１の表面を覆う第１の部分と、第２の表面の一部を覆う第２の部分を有する革とを備え、
前記第２の表面が前記ケース内に位置し、前記ケースは、前記第２の部分を圧迫することを特徴とするマウス構造。
【請求項２】
前記組立部品とケースは、ロック部材、歯止め部分、または接着剤によって組み立てられる請求項１記載のマウス構造。
【請求項３】
前記革は、天然革または合成革を用いて製造される請求項１記載のマウス構造。
【請求項４】
前記革は、前記組立部品に接着される請求項１記載のマウス構造。
【発明の詳細な説明】
【技術分野】
【０００１】
本発明は、マンマシンインターフェース（ＭＭＩ）装置構造に関し、特にマウス構造に関する。
【背景技術】
【０００２】
この情報時代に、電気製品への人の依存度は日に日に高まってきている。その高い効率性と携帯性から、電気製品は、ノートブックコンピュータ、携帯電話、携帯情報端末、デジタル携帯音楽機器など、私たちの日常生活に不可欠なツールになった。私たちからの命令を電気製品に入力して電気製品内のシステムがその命令を実行するためには、ある形式のマンマシンインターフェースが必要とされる。現在、もっとも一般的に使用されているマンマシンインターフェース装置は、キーボード、マウス、タッチパッドなどの電子装置である。後述のように、マウス組み立て方法について詳細に説明する。
【０００３】
図１は、従来のマウスの概略図である。図１のマウス１００は、ケース１１０、革１２０、接着剤層１３０を含む。ケース１１０は、凹溝１１０ａを持ち、革は、接着剤層１３０を通してケース１１０の凹溝１１０ａの内部に付けられる。より具体的には、マウス１１０を組み立てる方法は、たとえば凹溝１１０ａにマッチする形などの、特定の形に生革を手直しして、それから、加工された革１２０をケース１１０の凹溝１１０ａの内部に直接接着することを含む。しかし、しばしばこのマウスを組み立てる過程で、革１２０の端の近辺で毛状になったり、または革１２０の端でめくれ上がったりする。このように、不適格なマウスの製造の率は、むしろ高い。
【０００４】
図２は、もう一つの従来のマウスの概略図である。図２のマウスは、ケース２１０、プラスチック部材２２０、革２３０と、プラスチック縁２４０を含む。プラスチック部材２２０とケース２１０は、一緒に組み立てられる。さらにまた、革２３０はプラスチック部材２２０に付けられ、プラスチック縁２４０は革２３０の端でめくれ上がることを防ぐように、プラスチック部材２２０と革２３０の端を囲う。より具体的には、生革を形成して整え、必要な形状で革２３０を得るようにする。それから、加工された革２３０は、プラスチック部材２２０に接着される。その後、インモールドデコレーション（ＩＭＤ）射出成形プロセスを実行することにより、革２３０とプラスチック部材２２０が、プラスチック縁２４０を形成する。最後に、プラスチック部材２２０とケース２１０を一緒に組み立て、マウス２００を完成される。
【発明の開示】
【発明が解決しようとする課題】
【０００５】
マウス２００の生産性は高いけれども、プラスチック部材２２０と革２３０の端は、ＩＭＤ射出成形プロセスにマッチするために特別なデザインを持つ必要がある。マウス２００が、プラスチック縁２４０と革２３０の間で色が一致することは困難なので、むしろ見た目を複雑にして、色を一致しないようにしている。さらに、ＩＭＤ射出成形プロセスを実行する必要があるので、革２３０は合成革の材料を使って製造したもののみとなる。さらに、成型プロセスにおいて革の端の接合を堅くすることは、難しい。
【０００６】
したがって、本発明の少なくとも１つの目的は、革の端のめくれ上がりを最小にすることができるマウス構造を提供することにある。
【０００７】
本発明のもう一つの目的は、本革を使って囲うことができるマウス構造を提供することにある。
【０００８】
本発明のさらにもう一つの目的は、ケースと組立部品を使って革を圧迫する、革で覆われるマウス構造を提供することにある。
【課題を解決するための手段】
【０００９】
以上の及び他の利点を達成するために、また発明の目的にかなうよう、ここで幅広く説明されるように、本発明はマウス構造を提供する。マウス構造は、ケース、組立部品、革の層を含む。ボディケースと組立部品は、一緒に組み立てられる。組立部品は、第１の表面と第２の表面を持つ。革の層は、第１の部分と第２の部分を有する。第１の部分は第１の表面を覆い、第２の部分は部分的に第２の表面を覆う。ケースが第２の部分の一部を圧迫するように、第２の表面はケース内に配置される。
【００１０】
本発明の１つの実施例では、組立部品とケースは、ロック部材、歯止め部分、または接着剤によって組み立てられる。
【００１１】
本発明の１つの実施例では、革は天然革または合成革とすることができる。
【００１２】
本発明の１つの実施例えは、革は組立部品に接着される。
【発明の効果】
【００１３】
以上のように本発明では、革は、組立部品の第１の表面に配置され、組立部品の端に入る。したがって、革の端は、マウスの美的な外観を損なうめくれ上がりを防ぐ。
【００１４】
前述の一般的な説明と以下の詳細な説明は、あくまで例であり、特許を請求する発明の説明は、さらに備えることを意図している。
【００１５】
添付の図面は本発明の更なる理解をすすめるために含まれ、この明細書の一部を構成する。図面は、発明の実施例を説明するものであり、記述と共に、発明の原則を説明するものである。
【発明を実施するための最良の形態】
【００１６】
ここで、本発明にかかる本実施形態について詳細に参照する。そして、本発明の例は添付の図面の中で説明する。可能な限り、同一の参照番号を図面と説明で使用し、同一または同様の部分を参照する。
【００１７】
図３は、本発明の１つの実施例によるマウス構造の概略図である。図３で示すように、本実施形態のマウス構造３００は、ケース３１０、組立部品３２０と、革３３０を含む。組立部品３２０とケース３１０は、一緒に組み立てられる。組立部品３２０は、第１の表面の３２０ａ、第２の表面の３２０ｂと側面３２０ｃを持つ。側面３２０ｃは、第１の表面の３２０ａと第２の表面の３２０ｂにつながる。組立部品３２０が多角形であるとき、多くの数の側面３２０ｃを有する。さらにまた、組立部品３２０はプラスチックを使って製作することができる。さらに、組立部品３２０は押しボタンとすることができる。
【００１８】
革３３０は、第１の部分３３０ａと第２の部分３３０ｂを持つ。第１の部分３３０ａは第１の表面の３２０ａを覆う。第２の部分３３０ｂは第２の表面の３２０ｂの一部を覆う。第２の表面の３２０ｂは、ケース３１０の内部に位置する。さらに、ケース３１０は第２の部分３３０ｂの一部に押しつけられる。言い換えると、革３３０は第１の表面の３２０ａ、側面３２０ｃと第２の表面の３２０ｂの一部を囲む。本実施形態において、革３３０は天然革または合成革とすることができる。さらに、革３３０は表面のパターンを持つようにすることができる。
【００１９】
組み立てプロセスでは、革３３０を組立部品３２０の第１の表面の３２０ａに接着することができる。その後、革３３０の端は、ひっくり返して、組立部品３２０の底、つまり第２の表面の３２０ｂに接着される。このように、革３３０は組立部品３２０の端、つまり側面３２０ｃを囲うことができる。最後に、革３３０をもつ組立部品３２０は、ロック部材、歯止め部分、接着剤の使用、または他の適当な手段によって、ケース３１０にはめ込まれる。革３３０の端が組立部品３２０の底に巻き込み、革３３０がケース３１０と組立部品３２０につかまれるので、革３３０は緩みにくくなり、その結果中に巻き込まれることになる。
【００２０】
さらに、革３３０はある程度のばすこと可能である。したがって、第１の表面の３２０ａは平面または曲面とすることができ、革３３０とケース３１０間の隙間を減らすことができる。言い換えると、マウス構造３００は、より魅力的な外観を持つことができる。
【００２１】
マウス構造３００の再加工が必要な場合、革３３０を組立部品３２０から簡単に取り出すことができ、革３３０は再び取り付けることができる。言い換えると、組立部品３２０の再加工で損傷することがなくなり、それにより再加工のコストをかなり下げることができる。さらに、組立部品３２０は一般的な部品である。それゆえに、単に革の上で革のタイプまたはパターンを変えることによって、様々な製品を得ることができる。
【００２２】
本発明を好ましい実施例によって上述のように説明したが、こうした説明は本発明の限定を目的としたものではない。この技術をよく理解するものであれば、本発明の範囲および考え方から逸脱しない中で、いくらかの修正と変更をすることができる。したがって、本発明の保護している範囲は、添付の特許請求の範囲とその均等の範囲内となる。
【図面の簡単な説明】
【００２３】
【図１】従来のマウスの概略図である。
【図２】もう一つの従来のマウスの概略図である。
【図３】本発明の１つの実施例によるマウス構造の概略図である。
【符号の説明】
【００２４】
３００    マウス構造
３１０    ケース
３２０    組立部品
３２０ａ    第１の表面
３２０ｂ    第２の表面
３２０ｃ    側面
３３０    革
３３０ａ    第１の部分
３３０ｂ    第２の部分
【図１】
2007200335.tif 000003
【図２】
2007200335.tif 000004
【図３】
2007200335.tif 000005
【外国語明細書】
1. TITLE OF THE INVENTION
MOUSE STRUCTURE
2. DETAILED DESCRIPTION OF INVENTION
BACKGROUND OF THE INVENTION
Field of Invention
[0001]  The present invention relates to a man-machine interface (MMI) device structure, and more particularly to a mouse structure.
Description of Related Art
[0002]  In this information era, human’s dependence on electronic products is increasing every day.  Due to their high efficiency and portability, electronic products such as notebook computer, cellular phone, personal digital assistant and digital portable music player have become indispensable tools in our daily life.  To input our commands into the electronic product so that the system within the electronic product can carry out our instructions, some form of man-machine interface is required.  At present, the most commonly used man-machine interface devices include electronic devices such as keyboard, mouse and touch pad.  In the following the method of assembling a mouse is explained in more detail.
[0003]  Fig. 1 is a schematic diagram of a conventional mouse.  The mouse 100 in Fig.1 includes a casing 110, some leather 120 and a glue layer 130.  The casing 110 has a concave groove 110a and the leather is attached to the interior of the concave groove 110a of the casing 110 through the glue layer 130.  More specifically, the method of assembling the mouse 110 includes tailoring a piece of raw leather into a specified shape, for example, a shape that matches the concave groove 110a, and then gluing the tailored leather 120 directly to the interior of the concave groove 110a of the casing 110.  However, this mouse assembling process often produces a hairy rim near the edge of the leather 120 or a rising at the edge of the leather 120.  Thus, the rate of production of disqualified mouse is rather high.
[0004]  Fig. 2 is a schematic diagram of another conventional mouse.  The mouse in Fig. 2 includes a casing 210, a plastic member 220, some leather 230 and a plastic rim 240.  The plastic member 220 and the casing 210 are assembled together.  Furthermore, the leather 230 is attached to the plastic member 220 and the plastic rim 240 encloses the edge of the plastic member 220 and the leather 230 to prevent the rising at the edge of the leather 230.  More specifically, a piece of raw leather is formed and trimmed to obtain a piece of leather 230 with the required shape.  Then, the tailored leather 230 is glued to the plastic member 220.  Thereafter, an in-mold decoration (IMD) injection molding process is carried out for the leather 230 and the plastic member 220 to form the plastic rim 240.  Finally, the plastic member 220 and the casing 210 are assembled together to form a complete mouse 200.
[0005]  Although the productivity of the mouse 200 is high, the edge of the plastic member 220 and leather 230 needs to have a special design for matching with the IMD injection molding process.  It is also difficult to find a matching color between the plastic rim 240 and the leather 230 so that the mouse 200 has a rather complicated look and an unmatched coloring.  Furthermore, due to the need to carry out an IMD injection molding process, the leather 230 can only be fabricated using a synthetic leather material.  Moreover, it is difficult to form a tight junction with the edge of the leather in the molding process.
SUMMARY OF THE INVENTION
[0006]  Accordingly, at least one objective of the present invention is to provide a mouse structure that can minimize the rising at the edge of a piece of leather.  
[0007]  Another objective of the present invention is to provide a mouse structure that can be enclosed using real leather.  
[0008]  Yet another objective of the present invention is to provide a leather-enclosed mouse structure that uses a casing and a assembly to press down the leather.
[0009]  To achieve these and other advantages and in accordance with the purpose of the invention, as embodied and broadly described herein, the invention provides a mouse structure.  The mouse structure includes a casing, an assembly and a leather layer.  The body casing and the assembly are assembled together.  The assembly has a first surface and a second surface.  The leather layer has a first portion and a second portion.  The first portion covers the first surface and the second portion partially covers the second surface.  The second surface is located inside the casing such that the casing presses against part of the second portion.
[0010]  In one embodiment of the present invention, the assembly and the casing are assembled together through a locking member, a latch or the application of glue.
[0011]  In one embodiment of the present invention, the leather can be natural leather or synthetic leather.
[0012]  In one embodiment of the present invention, the leather is glued to the assembly.
[0013]  Accordingly, the leather is disposed on the first surface of the assembly and encloses the edge of the assembly in the present invention.  Therefore, the edge of the leather is prevented from forming a rising that ruins the aesthetic appearance of the mouse.
[0014]  It is to be understood that both the foregoing general description and the following detailed description are exemplary, and are intended to provide further explanation of the invention as claimed.
DESCRIPTION OF EMBODIMENTS
[0015]  The accompanying drawings are included to provide a further understanding of the invention, and are incorporated in and constitute a part of this specification.  The drawings illustrate embodiments of the invention and, together with the description, serve to explain the principles of the invention.  In the drawings,
[0016]  Reference will now be made in detail to the present preferred embodiments of the invention, examples of which are illustrated in the accompanying drawings.  Wherever possible, the same reference numbers are used in the drawings and the description to refer to the same or like parts.
[0017]  Fig. 3 is a schematic diagram of a mouse structure according to one embodiment of the present invention.  As shown in Fig. 3, the mouse structure 300 in the present embodiment includes a casing 310, an assembly 320 and a piece of leather 330.  The assembly 320 and the casing 310 are assembled together.  The assembly 320 has a first surface 320a, a second surface 320b and a side surface 320c.  The side surface 320c joins up with the first surface 320a and the second surface 320b.  When the assembly 320 is a polygon, it has a number of side surfaces 320c.  Furthermore, the assembly 320 can be fabricated using plastics.  Moreover, the assembly 320 can be a push button.
[0018]  The leather 330 has a first portion 330a and a second portion 330b.  The first portion 330a covers the first surface 320a and the second portion 330b covers part of the second surface 320b.  The second surface 320b is located inside the casing 310.  Moreover, the casing 310 is pressed against part of the second portion 330b.  In other words, the leather 330 encloses the first surface 320a, the side surface 320c and part of the second surface 320b.  In the present embodiment, the leather 330 can be a piece of natural leather or a piece of synthetic leather.  In addition, the leather 330 may have a surface pattern.
[0019]  In the assembling process, the leather 330 can be glued to the first surface 320a of the assembly 320.  Thereafter, the edge of the leather 330 is flipped over and glued to the bottom of the assembly 320, that is, the second surface 320b.  Thus, the leather 330 is able to enclose the edge of the assembly 320, that is, the side surface 320c.  Finally, the assembly 320 with the leather 330 is engaged to the casing 310 through a locking member, a latch, an application of glue or other suitable means.  Because the edge of the leather 330 has flipped over the bottom of the assembly 320 and the leather 330 is gripped by the casing 310 and the assembly 320, the leather 330 is difficult to loosen up or resulted in eversion.
[0020]  In addition, the leather 330 has a certain degree of extensibility.  Therefore, the first surface 320a can be a plane surface or a curved surface and the gap between the leather 330 and the casing 310 can be reduced.  In other words, the mouse structure 300 can have a more appealing external appearance.
[0021]  If the mouse structure 300 needs a rework, the leather 330 can be easily taken out from the assembly 320 and the leather 330 can be reattached.  In other words, the assembly 320 will not be damage in the reworking process so that the cost of reworking is significantly reduced.  In addition, the assembly 320 is a common component.  Hence, a variety of products can be obtained simply by changing the leather type or the pattern on the leather.
[0022]   It will be apparent to those skilled in the art that various modifications and variations can be made to the structure of the present invention without departing from the scope or spirit of the invention.  In view of the foregoing, it is intended that the present invention cover modifications and variations of this invention provided they fall within the scope of the following claims and their equivalents.
BRIEF DESCRIPTION OF DRAWINGS
Fig. 1 is a schematic diagram of a conventional mouse.
Fig. 2 is a schematic diagram of another conventional mouse.
Fig. 3 is schematic diagram of a mouse structure according to one embodiment of the present invention.
Claims
1. A mouse structure, comprising:
a casing;
an assembly assembled to the casing, wherein the assembly has a first surface and a second surface; and
a piece of leather having a first portion and a second portion, wherein the first portion covers the first surface and the second portion covers part of the second surface,
wherein the second surface is located inside the casing and that the casing presses against part of the second portion.
2. The mouse structure of claim 1, wherein the assembly and the casing are assembled together by means of a locking member, a latch or the application of glue.
3. The mouse structure of claim 1, wherein the leather is fabricated using natural leather or synthetic leather.
4. The mouse structure of claim 1, wherein the leather is glued to the assembly.
１．Abstract
A mouse structure including a casing, an assembly and a leather layer, wherein the casing and the assembly are assembled together.  The assembly has a first surface and a second surface.  The leather layer has a first portion and a second portion.  The first portion covers the first surface and the second portion partially covers the second surface.  The second surface is located inside the casing such that the casing presses against part of the second portion.
２．Representative Drawing
Fig.3
【図１】
2007200335.tif 000006
【図２】
2007200335.tif 000007
【図３】
2007200335.tif 000008